(57)【特許請求の範囲】
【請求項１】
裏面に面ファスナーが固着された舌片が内側アッパーの側部に設けられ、甲部を覆うようにして舌片を外側アッパーへ架け渡し、外側アッパー表面に固着された面ファスナーに舌片を定着させて足に装着できるように構成された、甲部分が内側アッパーと外側アッパーに分断された前開き型の履物であって、内側アッパーの側部には先端に掛止リングを取り付けた掛止部が設けられ、舌片は甲部上面を広く覆う幅を有してアッパーとは別体に設けられているとともにその一側には掛止リングに巻き付く差込部が設けられ、掛止リングに差し入れた差込部が舌片裏面の面ファスナーに結合して舌片が掛止リングに回転自在に取り付けられ、履物を脱いだときに舌片は掛止リングを軸に内側アッパーの外側に倒れて甲部上面が広く開放し、履物を履くときに舌片を掛止リングを軸に外側アッパーの側へ回転させることにより舌片を外側アッパー表面の面ファスナーに定着させることができるように構成されているとともに、前記掛止部に取り付けられる長さの異なる複数の舌片を装備し、履用者の足の甲高に応じた長さの舌片を掛止部に取り付けて使用できるようにしたことを特徴とする履物。
【請求項２】
舌片先端部の隅角部裏面に、面ファスナーが固着されていない部分を略三角形に設け、舌片をアッパーに定着させた状態で前記隅角部を指先で摘めるようにしたことを特徴とする請求項１に記載の履物。
【発明の詳細な説明】
【技術分野】
【０００１】
本発明は、肢体が不自由な人やリハビリ中の人、身体機能が低下した高齢者でも容易に足入れをして履くことができる履物に関する。
【背景技術】
【０００２】
図６は、甲部が左右に開いて甲部全面が開口する前開き型のサンダルを示している。このサンダルは、敷底６１の前後両側に、足の甲を押さえる内側バンド６２ａと外側バンド６２ｂ及び踵を押さえる内側バンド６３ａと外側バンド６３ｂをそれぞれ取り付け、内側バンド６２ａ、６３ａの表面には雌型面ファスナー６４ａ、外側バンド６２ｂ、６３ｂの裏面には雄型面ファスナー６４ｂをそれぞれ帯状に取り付けて形成されており、サンダルを履くときは敷底６１に載せた足の甲と踵とに前記内外バンドを巻き着け、重なり合わせた面ファスナー６４ａ、６４ｂ同士を結合させることで内外バンドを定着させて足に着用するようになっていた（例えば特許文献１参照）。
【０００３】
【特許文献１】特開２００１−２０２号公報
【発明の開示】
【発明が解決しようとする課題】
【０００４】
図示したサンダルは、甲部が左右に開いて足を入れやすく、また、面ファスナー６４ａ、６４ｂによって内外バンドを一体に定着でき、バンドの着脱操作が容易であるという利点を有する。
然しながら、前記内外バンドは、足型をなす敷底６１の湾曲した縁に取り付けられているため、敷底６１の上に折れ曲がり易く、サンダルを脱ぐと、敷底６１上に外側バンド６２ｂ、６３ｂが折れ曲がり、さらにその上に内側バンド６２ａ、６３ａが倒れ重なり、必然的に重なり合った面ファスナー同士が連結することとなる。
つまり、サンダルに足を入れていないと、内外バンドが敷底上で交差し連結した状態となり、サンダルを履くときには、予め敷底６１の上に足を載せる前に、面ファスナー同士を引き剥がして内外バンドを分離し、これらを敷底６１上から左右に退けて履口を広げる操作が必要であった。
【０００５】
前記サンダルに限らず、前開き型の履物は一般に、足入れのし易さから、ケガや病気で肢体動作が不自由な人や歩行訓練などのリハビリ中の人、高齢者に用いられることが多く、それらは面ファスナーによって甲部の開閉操作を簡便に行えるようになっている。そして、甲部に取り付けられる面ファスナーは履用中に外れないよう、引張りせん断強さ（接合面に平行な応力）と剥離強さ（接合面に垂直な応力）がともに大きいものが用いられ、一旦結合した面ファスナー同士は、両手で重なり合った面ファスナーの端部をそれぞれ掴み、指先に力を入れて強く引っ張らないと引き剥がすことができないようになっている。
そのため、前述の如くサンダルを履く前に結合した面ファスナー同士を引き剥がす操作は、片手或いは両手に機能障害があったり、面ファスナーを摘んで引っ張る指先の動作の自由が利かなかったりする人にとっては、極めて不便であった。サンダルを脱ぐ操作は自身でできるのにも関わらず、サンダルを履くために介護者などの手を借りなければならない場合もあった。
【０００６】
本発明は従来技術の有するこのような問題点に鑑み、履物を履くときに履口を広げるなどの操作を不要とし、肢体が不自由であっても容易に足に装着できるようにすることを課題とする。
【課題を解決するための手段】
【０００７】
前記課題を解決するため本発明の履物は、裏面に面ファスナーが固着された舌片が内側アッパーの側部に設けられ、甲部を覆うようにして舌片を外側アッパーへ架け渡し、外側アッパー表面に固着された面ファスナーに舌片を定着させて足に装着できるように構成された、甲部分が内側アッパーと外側アッパーに分断された前開き型の履物であって、内側アッパーの側部には先端に掛止リングを取り付けた掛止部が設けられ、舌片は甲部上面を広く覆う幅を有してアッパーとは別体に設けられているとともにその一側には掛止リングに巻き付く差込部が設けられ、掛止リングに差し入れた差込部が舌片裏面の面ファスナーに結合して舌片が掛止リングに回転自在に取り付けられ、履物を脱いだときに舌片は掛止リングを軸に内側アッパーの外側に倒れて甲部上面が広く開放し、履物を履くときに舌片を掛止リングを軸に外側アッパーの側へ回転させることにより舌片を外側アッパー表面の面ファスナーに定着させることができるように構成されているとともに、前記掛止部に取り付けられる長さの異なる複数の舌片を装備し、履用者の足の甲高に応じた長さの舌片を掛止部に取り付けて使用できるようにしたことを特徴としている。
これによれば、掛止部に取り付けられた舌片は、掛止部をヒンジとしてアッパーの内外へ回転し得るように支持される。靴を脱ぐと舌片は掛止部を支点にアッパーの外側に倒れるため、舌片がアッパーの面ファスナーに結合することはなく、再び履くときの邪魔とはならず、履口にスムーズに足を入れることができる。足を入れたならば、舌片をアッパー内方へ回転させれば、舌片は他側アッパー表面の面ファスナーによってアッパーを覆うようにして定着し、履物が足にしっかりと装着する。
【０００８】
前記構成の履物において、舌片先端部の履口側の隅角部裏面に、面ファスナーが固着されていない部分を略三角形に設け、舌片をアッパーに定着させた状態で前記隅角部を指先で摘めるように設けることが好ましい。
【発明を実施するための最良の形態】
【０００９】
本発明の好適な一実施形態を図面を参照して説明する。
図１は本発明の一実施形態の履物の外観図を示している。
同図に示されるように、この履物は、爪先部を除いて靴底２の周縁に立ち上げたアッパー３の内、甲部分のアッパー３が内側アッパー３ａと外側アッパー３ｂとに分断されて甲部全面が開口する前開き型の靴であり、内側アッパー３ａの側部に舌片４が取り付けられ、この舌片４を内外アッパー間にアーチ状に架け渡し定着させることによりアッパー３の甲部を足の甲に固定して着用するものである。
【００１０】
詳しくは、図２に示されるように、靴１の内側アッパー３ａの側部には、靴底２から突出した一対の突片５ａ、５ａの先端部にそれぞれ掛止リング５ｂ、５ｂを取り付けてなる掛止部５が設けてあり、後述する舌片差込部４ａ、４ａを掛止リング５ｂ、５ｂに巻き付けて舌片４を掛止できるようになっている。
また、外側アッパー３ｂの表面には、当該アッパーの上縁から靴底２の近傍に亘り、舌片４の輪郭よりも幅広な雄型面ファスナー６ａが一体に固着してあり、内外アッパーを覆うようにして外側アッパー３ｂに架け渡した舌片４の裏面の雌型面ファスナー６ｂと結合して、舌片４を外側アッパー２ｂに定着できるようになっている。
【００１１】
舌片４は、アッパー３の甲部上面を広く覆う幅広な舌状をなし、その一側に掛止リング５ｂ、５ｂに巻き付く二股に分岐した差込部４ａ、４ａを設けて形成してある。
また、舌片４の裏面には、差込部４ａ、４ａの先端部と差込部とは反対側の隅角部４ｂを除いて、雌型面ファスナー６ｂが全面に固着してあり、差込部４ａ、４ａの先端部には雄型面ファスナー６ａが固着してある。
隅角部４ｂには、面ファスナー６ａ、６ｂが固着されていない部分を略三角形状に設けてあり、当該部分を摘んで結合した面ファスナー６ａ、６ｂの剥離操作を行えるようになっている。
舌片４は、その裏面を上に向けた状態で差込部４ａ、４ａを内側アッパー３ａの側方から掛止リング５ｂ、５ｂに差し入れて先端を折り返し、その裏面の雄型面ファスナー６ａを雌型面ファスナー６ｂに結合して、差込部４ａ、４ａを両リングに巻き付けて掛止部５に取り付けられる。掛止部５に取り付けた状態で舌片４の隅角部４ｂは、容易に手が届く履口側に位置する。
【００１２】
このように形成された靴１は、履口７から或いは開口した内側アッパー３ａと外側アッパー３ｂの間から足を入れ、掛止部５に掛止された舌片４を内外アッパーを覆うようにして外側アッパー３ｂの側へアーチ状に架け渡すとともに、外側アッパー表面の面ファスナー６ａに舌片裏面の面ファスナー６ｂを結合させて舌片４を外側アッパー３ｂに定着し、内外アッパーを足の甲に固定して着用することができる。この際、外側アッパー３ｂと舌片４にはともに幅広の面ファスナー６ａ、６ｂを固着し、面ファスナー同士の重合面積を広く設けてあるので、外側アッパー３ｂと舌片４の接合位置が多少ずれても、面ファスナー同士は幅広に重なってしっかとり結合し、舌片４を外側アッパー３ｂに確実に定着させることができる。
【００１３】
また、靴１を脱ぐときは、舌片４の隅角部４ｂを摘んで手前に引けば、結合した面ファスナー６ａ、６ｂが引き剥がされて舌片４が外側アッパー３ｂから分離し、大きく開いた内外アッパーの間から足を引き抜くことができる。この際、舌片４を掛止リング５ｂ、５ｂを軸に回転して隅角部４ｂから手を離せば、図３に示されるように、舌片４は内側アッパー３ａの外側に倒れたままとなり、内側アッパー３ａと外側アッパー３ｂの間は広く開放した状態に保持される。従って、再び靴１を履くときに、舌片４が足入れの邪魔となるようなことはなく、広く開いた内外アッパーの間からスムーズに足を入れ、舌片４を外側アッパー３ｂの側へ回転し定着させるという簡単な操作で着用することが可能である。
【００１４】
また、舌片４は、掛止部５に着脱自在となっており、長さの異なる舌片４を用いることで、アッパー３の甲部を履用者に足の甲高或いは甲幅に応じた寸法に構成することができる。
すなわち、足の甲の高さは人によって異なり、人により甲高が著しく大きかったり、或いは足に怪我をして包帯を巻き、ギブスをつけるなどして足の甲の見かけ上のサイズが大きくなったりする場合がある。これらの場合に、両端部間の長さ（Ｌ：図２参照）が長い舌片４を掛止部５に取り付けて用いれば、図４（Ｂ）に示されるように、包帯やギブスの取り付けなどによって高くなった足の甲に舌片４を架け渡し定着させて、靴１を着用することができる。また、包帯やギブスの取り付けなどによって甲が幅広になった場合も、同図（C）に示されるように、幅広になった足の甲に舌片４を架け渡し定着させて、靴１を着用することができる。
怪我が治癒するなどして包帯やギブスがとれたときには、同図（Ａ）に示されるように、通常の長さの舌片４に付け替えれば、治癒後も引き続き靴１の使用が可能である。
【００１５】
図５は本発明の他の実施形態の靴１を示し、これは、前記形態と同様に、履口７に連ねてアッパー３の上部が開口していて、アッパー３の側部に設けた掛止部５に着脱自在に取り付けた舌片４を前記開口を覆うようにしてアッパー３の他側に架け渡し、面ファスナー６ａ、６ｂによってアッパー３に定着することによりアッパー３の開口を閉塞して足に着用できるように設けたものである。この形態においても、靴１を脱ぐときに舌片４を掛止リング５ｂ、５ｂを軸としてアッパー４の外側に倒せば、アッパー上部の開口は広く開放した状態に保持され、再び靴１を履くときに開口に足をスムーズに入れることが可能である。
【００１６】
なお、本発明は図示した靴以外に、様々な形態や用途の靴やサンダルその他の履物に適用され得るものである。
【図面の簡単な説明】
【００１７】
【図１】本発明の履物の一実施形態の外観図である。
【図２】図１の靴の舌片を取り外した状態の平面図である。
【図３】図１の靴の舌片の端部をアッパーから分離した状態の外観図である。
【図４】（Ａ）、（Ｂ）、（Ｃ）はそれぞれ舌片の両端部間の長さが通常のものと、長いものを図１の靴に取り付け定着させた状態におけるアッパー甲部の切断端面図である。
【図５】本発明の履物の他の一実施形態の外観図である。
【図６】従来のサンダルの一例の外観図である。
【符号の説明】
【００１８】
１  靴（履物）、２  靴底、３  アッパー、３ａ  内側アッパー、３ｂ  外側アッパー、４  舌片、４ａ  差込部、４ｂ  隅角部、５  掛止部、５ａ  突片、５ｂ  掛止リング、６ａ、６ｂ  面ファスナー、７  履口
【図１】
0003679102.tif 000002
【図２】
0003679102.tif 000003
【図３】
0003679102.tif 000004
【図４】
0003679102.tif 000005
【図５】
0003679102.tif 000006
【図６】
0003679102.tif 000007